(57)【特許請求の範囲】
【請求項１】
巻取側ガイドを支持する支持部材と、該支持部材を可動できるエアシリンダーと、該エアシリンダーに接続する配管ホースと、該配管ホースを介して高圧エアーを送り出すことができるコンプレッサーと、保持回路に電力を供給する電源と、電力が供給されているときには前記エアシリンダーを降下状態に保持でき且つ電力が供給されなくなったときには前記エアシリンダーを上昇状態に保持できる前記保持回路と、該保持回路の指令により励磁状態のときには前記エアシリンダーを下降せしめ、非励磁状態のときには前記エアシリンダーを上昇せしめる電磁弁とを具備することを特徴とするエナメル線製造設備の断線防止装置。
【請求項２】
支持部材が、ロール状の巻取側ガイドを挟んだU字形に形成されたものであることを特徴とする請求項１記載のエナメル線製造設備の断線防止装置。
【請求項３】
エアシリンダーは、横形エナメル線製造設備に付加設置するときには上下方向に可動できることを特徴とする請求項１記載のエナメル線製造設備の断線防止装置。
【請求項４】
エアシリンダーは、縦形エナメル線製造設備に付加設置するときには前後方向に可動できることを特徴とする請求項１記載のエナメル線製造設備の断線防止装置。
【発明の詳細な説明】
【０００１】
【発明の属する技術分野】
本発明はエナメル線製造設備の断線防止装置に関するものである。
【０００２】
【従来の技術】
一般に、エナメル線は次のように製造されている。
【０００３】
▲１▼  まず、導線をエナメル塗料タンクに送り込んでエナメル塗料を塗布し、それから絞りダイスを通過させることよりエナメル塗料塗布線とする。
【０００４】
▲２▼  次に、ここで得られたエナメル塗料塗布線をエナメル焼付炉内を通過させることによりエナメル線半製品とする。
【０００５】
▲３▼  次に、上記▲１▼、▲２▼とを繰り返して所定エナメル塗膜厚さのエナメル線製品とする。上記▲１▼、▲２▼の繰り返し回数は５〜１５回である。
【０００６】
▲４▼  最後に、エナメル線製品をガイドプーリを介して巻取機で巻き取るようになっている。
【０００７】
図２は横型エナメル線製造設備の要部を示した斜視説明図である。
【０００８】
また、図３は図２の横型エナメル線製造設備へ導線を送り出すことができる伸線機の斜視図を示したものである。
【０００９】
図２において１はエナメル焼付炉、２は送出側下部ガイド、３は送出側下部プーリー、４は送出側上部プーリー、５は送出側上部ガイド、６は巻取側上部ガイド、７は巻取側プーリー、８は巻取側下部ガイドである。
【００１０】
また、図３において１０は伸線機、１１は伸線ガイド、１２は伸線プーリー、１３は伸線前導線、１４は伸線した導線である。
【００１１】
まず、伸線機１０には内部に図示しない伸線ダイスが設置されており、伸線前導線１３を送り込むとその図示しない伸線ダイスにより伸線されて伸線導線１４となる。そしてこの伸線導線１４は横型エナメル線製造設備の図２に向かって右側より送り出されるようになっている。
【００１２】
そして図２の横型エナメル線製造設備ではエナメル焼付炉１が真ん中に設置してある。そしてそのエナメル焼付炉１の送出側には送出側下部ガイド２、送出側下部プーリー３、送出側上部プーリー４、送出側上部ガイド５等が設置されている。また、そのエナメル焼付炉１の巻取側には巻取側上部ガイド６、巻取側プーリー７は、巻取側下部ガイド８が設置されている。
【００１３】
即ち、図２の横型エナメル線製造設備では、まず図に示す伸線機１０により伸線された伸線導線１４が図２に向かって右側より送り込まれる。
【００１４】
次に、送り込まれた伸線導線１４は、図示はしないが送出側上部プーリー４、送出側上部ガイド５を通り、それから送出側上部ガイド５とエナメル焼付炉１との間に設置されている図示しないエナメル塗料タンクと絞りダイスとを通過することによりエナメル塗料塗布線となる。
【００１５】
次に、このようにして得られたエナメル塗料塗布線は、エナメル焼付炉１に送り込まれて焼き付けられ、エナメル線半製品となる。
【００１６】
次に、このエナメル線半製品は上記のような塗布、焼き付けを７回繰り返し行ってエナメル線製品となる。
【００１７】
最後に、このようにして得られたエナメル線製品は図２に向かって左側に設置してある図示しない巻取機に巻き取られるようになっている。
【００１８】
この図２の横型エナメル線製造設備では塗布、焼き付けが７回の１本掛けの場合を例示したが、実際の横型エナメル線製造設備では塗布、焼き付けが７回のものが３〜２０本掛けるもの等が多用されている。
【００１９】
このような横型エナメル線製造設備の電力原単位当たりの生産性は、エナメル焼付炉１内に掛かる本数が大きい程よくなる。
【００２０】
しかしエナメル焼付炉１内に掛かる本数が大きい程、エナメル線半製品及びエナメル線製品の線間ピッチは狭くなる。
【００２１】
さて、このような線間ピッチが狭くなっている横型エナメル線製造設備において、停電や地震が起こったときには高温のエナメル焼付炉１内を通過中のエナメル線半製品及びエナメル線製品は互いにぶつかり合って粘着する。そして粘着したエナメル線半製品及びエナメル線製品は酷いときには巻き取り惰性等により引っ張られて断線する。
【００２２】
即ち、図２において停電したとき巻取側プーリー７の図示しない駆動モーターには給電されなくなるが、巻取側プーリー７は瞬間的には惰性で回転する。瞬間的にでも巻取側プーリー７が中途半端な惰性回転を続けると、多数本のエナメル線半製品及びエナメル線製品の中には巻取側プーリー７により進むものと遅れるものとが発生する。そして遅れたエナメル線半製品及びエナメル線製品は高温のエナメル焼付炉１内で緩み、そしてぶつかり合って粘着するのである。
【００２３】
このような停電によるエナメル線半製品及びエナメル線製品の粘着や断線を防止する絶対的手段はエナメル線製造設備に無停電電源装置を付加設置することである。
【００２４】
【発明が解決しようとする課題】
しかし前述したようにエナメル線製造設備は電力を大量に消費するエナメル焼付炉、巻取機等を有しており、従って付加設置する無停電電源装置は大容量で且つ大形で、しかも高価なものとなる。
【００２５】
このような訳で無停電電源装置を付加設置したエナメル線製造設備の断線防止装置は設置面積を食い且つ大幅な原価アップを招く難点があり、実用されなかった。
【００２６】
本発明はかかる点に立って為されたものであって、その目的とするところは前記した従来技術の欠点を解消し、小形、軽量で且つ信頼性が高く、しかも安価なエナメル線製造設備の断線防止装置を提供することにある。
【００２７】
【課題を解決するための手段】
本発明の要旨とするところは、巻取側ガイドを支持する支持部材と、該支持部材を可動できるエアシリンダーと、該エアシリンダーに接続する配管ホースと、該配管ホースを介して高圧エアーを送り出すことができるコンプレッサーと、保持回路に電力を供給する電源と、電力が供給されているときには前記エアシリンダーを降下状態に保持でき且つ電力が供給されなくなったときには前記エアシリンダーを上昇状態に保持できる前記保持回路と、該保持回路の指令により励磁状態のときには前記エアシリンダーを下降せしめ、非励磁状態のときには前記エアシリンダーを上昇せしめる電磁弁とを具備することを特徴とするエナメル線製造設備の断線防止装置にある。
【００２８】
本発明において支持部材は、ロール状の巻取側ガイドを挟んだU字形に形成されたものであることが好ましい。
【００２９】
本発明においてエアシリンダーは、横形エナメル線製造設備に付加設置するときには上下方向に可動でき、また縦形エナメル線製造設備に付加設置するときには前後方向に可動できることが好ましい。
【００３０】
【発明の実施の形態】
次に、本発明のエナメル線製造設備の断線防止装置の一実施例を図面により説明する。
【００３１】
図１は本発明のエナメル線製造設備の断線防止装置の一実施例を付加設置した横型エナメル線製造設備の要部の拡大断面説明図である。
【００３２】
図１において６は巻取側上部ガイド、７は巻取側プーリー、９はエナメル線半製品、１５は支持部材、１６はエアシリンダー、１７は配管ホース、１８はコンプレッサー、１９は電磁弁、２０は接続電線、２１は保持回路、２２は電源である。
【００３３】
即ち、本発明の一実施例のエナメル線製造設備の断線防止装置は、巻取側上部ガイド６を支持する支持部材１５、該支持部材１５を上下できるエアシリンダー１６、該エアシリンダー１６へ高圧エアーを送り出すための配管ホース１７、該配管ホース１７へ高圧エアーを発生させることができるコンプレッサー１８、高圧エアー状態を保持させる保持回路２１、該保持回路２１の電源２２、該保持回路２１の指令により開閉する電磁弁１９からなっている。
【００３４】
通常運転時には電源２２より保持回路２１へ電力が供給されており、それにより電磁弁１９は励磁状態となっている。この電磁弁１９の励磁状態によりエアシリンダー１６は降下している。
【００３５】
停電したときには電源２２から保持回路２１への電力供給はなくなり、その結果電磁弁１９は非励磁状態となる。この電磁弁１９の非励磁状態によりエアシリンダー１６は上昇する。エアシリンダー１６が上昇すると、そのエアシリンダー１６の先端側に固定されている支持部材１５が上昇する。そしてその支持部材１５が上昇すると、その支持部材１５に支持されている巻取側上部ガイド６が上昇する。この巻取側上部ガイド６の上昇により、その巻取側上部ガイド６にガイドされていたエナメル線半製品９が持ち上げられる。このように持ち上げられた多数本のエナメル線半製品９は緩みが無くなるようにピーンと張ることになり、その結果多数本のエナメル線半製品９同志の接触、粘着、断線等を効果的に抑止することができる。
【００３６】
図４は本発明の応用例を示した部分正面説明図である。
【００３７】
図４において９はエナメル線半製品、１６はエアシリンダー、２３はエアシリンダー１６の先端に取り付けられたゴム部材、２４はダンサー、２５はダンサープーリーである。
【００３８】
即ち、本発明の応用例ではダンサー２４、ダンサープーリー２５によりエナメル線半製品９の緩みを吸収すると共にエアシリンダー１６とその先端に取り付けられたゴム部材２３とによりエナメル線半製品９の緩みや暴れを効果的に抑止するものである。
【００３９】
【発明の効果】
本発明のエナメル線製造設備の断線防止装置は小形、軽量で且つ信頼性が高く、しかも安価なものであり、工業上有用である。
【図面の簡単な説明】
【図１】本発明のエナメル線製造設備の断線防止装置の一実施例を付加設置したエナメル線製造設備の要部の拡大断面説明図である。
【図２】一般の横型エナメル線製造設備の要部を示した斜視説明図である。
【図３】図２の横型エナメル線製造設備へ導線を送り出すことができる伸線機の斜視図を示したものである。
【図４】本発明の応用例を示した部分正面説明図である。
【符号の説明】
１  エナメル焼付炉
２  送出側下部ガイド
３  送出側下部プーリー
４  送出側上部プーリー
５  送出側上部ガイド
６  巻取側上部ガイド
７  巻取側プーリー
８  巻取側下部ガイド
９  エナメル線半製品
１０  伸線機
１１  伸線ガイド
１２  伸線プーリー
１３  伸線前導線
１４  伸線導線
１５  支持部材
１６  エアシリンダー
１７  配管ホース
１８  コンプレッサー
１９  電磁弁
２０  接続電線
２１  保持回路
２２  電源
２３  ゴム部材
２４  ダンサー
２５  ダンサープーリー
【図１】
0003577942.tif 000002
【図２】
0003577942.tif 000003
【図３】
0003577942.tif 000004
【図４】
0003577942.tif 000005